(57)【要約】【課題】本発明は、電子装置を傾斜させて使用することができる電子装置保護カバーを提供することを目的とする。【解決手段】本発明に係る電子装置保護カバーは、電子装置を収容する収容部と、カバーと、を備える。収容部は第一吸着部が設置された底板を備え、カバーは順に連接された第一段、第二段及び第三段を備え、各段は柔軟性を有する材料によって互いに連接され、第一段には第二吸着部が設置され、第三段の第二段と離れる側は収容部の後側に回転可能に連接され、第二吸着部は第一吸着部に吸着され、第一段は底板の外側に吸着され、第一段、第二段及び第三段は直角三角形となって収容部を支持し、第一段は底板の外側の上方に沿って移動し、収容部を異なる角度に傾斜させる。【選択図】図１
2014170542.tif 000002
【特許請求の範囲】
【請求項１】
電子装置を収容する収容部と、
カバーと、
を備えてなる電子装置保護カバーであって、
前記収容部は第一吸着部が設置された底板を備え、前記カバーは順に連接された第一段、第二段及び第三段を備え、各段は柔軟性を有する材料によって互いに連接され、前記第一段には第二吸着部品が設置され、前記第三段の前記第二段と離れる側は前記収容部の後側に回転可能に連接され、前記第二吸着部品は前記第一吸着部に吸着され、前記第一段は前記底板の外側に吸着され、前記第一段、前記第二段及び前記第三段は直角三角形となって前記収容部を支持し、前記第一段は前記底板の外側の上方に向かって移動して、前記収容部を異なる角度に傾斜させることを特徴とする電子装置保護カバー。
【請求項２】
前記底板の内側には窪み部が設けられ、前記第一吸着部は前記窪み部に収容されることを特徴とする請求項１に記載の電子装置保護カバー。
【請求項３】
前記底板の内側には、前記第一吸着部を前記窪み部内に固定する固定片が接着されることを特徴とする請求項２に記載の電子装置保護カバー。
【請求項４】
２つの連接部品を更に備え、前記底板の後側から連接板が前記底板に対して上方へ垂直に延伸し、前記連接部品は前記第三段と前記連接板との間に回転可能に連接されることを特徴とする請求項１から３の何れか一項に記載の電子装置保護カバー。
【請求項５】
前記連接部品の対面する両側には収容孔がそれぞれ設けられ、前記第三段には回転軸が設置され、前記回転軸の両端は前記収容孔に回転可能に収容されることを特徴とする請求項４に記載の電子装置保護カバー。
【請求項６】
前記連接板には２つの切欠口が設けられ、前記連接板の内側において各前記切欠口の両側には２つの突出部が突出され、各前記突出部には回転孔が設けられ、各前記連接部品の両端にはピンがそれぞれ突出され且つ対応する２つの前記回転孔に回転可能に挿入されることを特徴とする請求項４又は５に記載の電子装置保護カバー。
【請求項７】
各前記突出部は前記連接板から前記底板に向けて傾斜する斜面を備え、各前記回転孔は対応する前記斜面に開口をそれぞれ備えることを特徴とする請求項６に記載の電子装置保護カバー。
【発明の詳細な説明】
【技術分野】
【０００１】
本発明は、電子装置保護カバーに関するものである。
【背景技術】
【０００２】
従来の技術において、タブレットパソコンを保護するカバーは、タブレットパソコンの正面、背面及び両側面をそれぞれ覆う四つの部分から構成された四段式のカバーである。この四段式のカバーを使用した場合、タブレットパソコンを使用台に平行又は垂直になるように載置することしかできないため、タブレットパソコンの使用に不便である。
【発明の概要】
【発明が解決しようとする課題】
【０００３】
本発明の目的は、前記問題を解決し、電子装置を傾斜させて使用することができる電子装置保護カバーを提供することである。
【課題を解決するための手段】
【０００４】
上記目的を達成するために、本発明に係る電子装置保護カバーは、電子装置を収容する収容部と、カバーと、を備える。前記収容部は第一吸着部が設置された底板を備え、前記カバーは順に連接された第一段、第二段及び第三段を備え、各段は柔軟性を有する材料によって互いに連接され、前記第一段には第二吸着部品が設置され、前記第三段の前記第二段と離れる側は前記収容部の後側に回転可能に連接され、前記第二吸着部品は前記第一吸着部に吸着され、前記第一段は前記底板の外側に吸着され、前記第一段、前記第二段及び前記第三段は直角三角形となって前記収容部を支持し、前記第一段は前記底板の外側の上方に向けて移動し、前記収容部を異なる角度に傾斜させる。
【発明の効果】
【０００５】
本発明に係る電子装置保護カバーは、三段式のカバーを使用し、カバーの第一段、第二段及び第三段は直角三角形となって収容部を支持し、第一段は収容部の底板の外側の上部に沿って移動できるので、収容部を異なる角度に傾斜させることができるため、使用に便利である。
【図面の簡単な説明】
【０００６】
【図１】本発明の実施形態に係る電子装置保護カバーの分解斜視図である。
【図２】図１に示す電子装置保護カバーのＩＩ部分の拡大図である。
【図３】図１に示す電子装置保護カバーの組立斜視図であり、カバーが開かれた状態を示す図である。
【図４】図１に示す電子装置保護カバーの組立斜視図であり、カバーが収容部を覆った状態を示す図である。
【図５】図４に示す電子装置保護カバーの収容部（電子装置）が縦方向に垂直に位置する状態を示した側面図である。
【図６】図４に示す電子装置保護カバーの第一傾斜状態を示す図である。
【図７】図４に示す電子装置保護カバーの第二傾斜状態を示す図である。
【発明を実施するための形態】
【０００７】
図１に示したように、本発明の実施形態に係る電子装置保護カバーは、平板状の電子装置、例えばタブレットパソコンを収容する収容部１０と、カバー２０と、２つの連接部品３０と、を備える。
【０００８】
収容部１０は、矩形の底板１１と、図１における底板１１の後側辺から上方に且つこの底板１１の後側辺から垂直に延伸する連接板１２と、他の三つの側辺からそれぞれ上方に且つ他の三つの側辺からそれぞれ垂直に延伸する三つの側板１３と、を備える。底板１１の内側の中央には、窪み部１１１が設けられ、窪み部１１１内には第一吸着部１５が設置される。第一吸着部１５は、磁性材料に吸着されることが可能な材料から製造され、例えばブリキから製造された薄板である。薄型の固定片１７は底板１１の内側に接着され、第一吸着部１５を底板１１に固定する。他の実施形態において、第一吸着部１５は、直接底板１１の内側に接着するか又は他の方法によって底板１１の内側に固定してもよい。
【０００９】
図２に示したように、連接板１２には２つの切欠口１２１が設けられている。連接板１２の内側における各切欠口１２１の両側には、２つの突出部１２３が突出されており、各突出部１２３は底板１１に連接される。各突出部１２３には、連接板１２の上面から底板１１に向かって傾斜する斜面１２４が形成されている。また、斜面１２４には、開口１２６を有する回転孔１２５がそれぞれ設けられている。
【００１０】
カバー２０は、三段式の折り畳み式カバーであって、順に連接された第一段２１と、第二段２２と、第三段２３と、を備える。各段は柔軟性を有する材料によって互いに連接されているので、折り畳むことができる。各段内には、収容物が収容されている。本実施形態において、カバー２０は、電子装置のディスプレイ部と同じ大きさの２つの薄片及びこの２つの薄片の間に並列に挟まれた三つの収容物によって構成される。２つの薄片は柔軟性を有し、この２つの薄片のうち、ディスプレイ部に面する薄片はマイクロファイバー材料などから製造される。収容物は対応する段を支持できる。本実施形態において、第一段２１内には、磁性材料から製造された第二吸着部品２１１が収容され、第二段２２内には、ガラス繊維や炭素繊維からなる複合材料や剛性のプラスチックなどから製造された剛性部品２２１が収容され、第三段２３内には、ガラス繊維や炭素繊維からなる複合材料や剛性プラスチックなどから製造された剛性部品２３１が収容されている。
【００１１】
第三段２３における第二段２２と離れる側には筒状の回転部２５が突設されており、回転軸２７は、回転部２５を挿通する。この際、回転軸２７の両端は回転部２５の両端からそれぞれ露出する。
【００１２】
各連接部品３０は、メイン部３１と、図２においてメイン部３１の後側に設けられた第一回転側部３３と、メイン部３１の前側に設けられた第二回転側部３５と、を備える。第二回転側部３５の両端には、ピン３５１がそれぞれ突設している。第一回転側部３３には、第一回転側部３３の一端を第一回転側部３３に対して平行に貫通した収容孔３３１が設けられている。
【００１３】
図３に示したように、電子装置保護カバーを組み立てる際、連接部品３０を切欠口１２１内にそれぞれ収容する。この際、各連接部品３０のピン３５１を、対応する開口１２６を介して対応する回転孔１２５にそれぞれ回転可能に挿入して、連接部品３０を収容部１０に回転可能に装着させる。次いで、回転軸２７の両端を連接部品３０の収容孔３３１内にそれぞれ回転可能に挿入する。以上により、カバー２０を連接部品３０に対して回転可能に装着できる。
【００１４】
図４に示したように、平板状の電子装置のディスプレイ部が底板１１と離れて位置するように、該電子装置を収容部１０内に収容する。次いで、カバー２０を収容部１０まで回転させて、電子装置のディスプレイ部を覆って保護する。
【００１５】
図５〜図７は電子装置を使用する際の３つの状態をそれぞれ示した図である。
【００１６】
図５において、電子装置を使用台に対して縦方向に垂直に位置させる場合、第二吸着部品２１１を電子装置と離れる方向に回転させて、該第二吸着部品２１１を底板１１の外側の第一吸着部１５が位置する部分に吸着させる。これにより、カバー２０の第一段２１は底板１１の外側に吸着される。本実施形態において、第一段２１、第二段２２及び第三段の幅は、ほぼピタゴラスの定理に相等する。第一段２１を底板１１の連接板１２に隣接する箇所に吸着させると、第一段２１は直角三角形の対辺となり、第三段２３は直角三角形の隣辺となり、第二段２２はこの直角三角形の斜辺となる。以上によって、収容部１０及び収容部１０内に収容された電子装置を縦方向に位置させることができる。
【００１７】
図６において、電子装置を傾斜させる（第一傾斜状態）場合、収容部１０を後方へ押すと、第一段２１は、底板１１の外側の上方に向けて連接板１２と離れるように移動し、収容部１０を後方へ傾斜させる。
【００１８】
図７において、電子装置をさらに傾斜させる(第二傾斜状態)場合、収容部１０を第三段２３と第二段２２との間に位置する中間部及び底板１１の連接板１２と離れる端に支持させ且つ傾斜させる。
【００１９】
電子装置を使用台とほぼ平行にさせる場合、収容部１０を押圧して、第一段２１を第二段２２に当接させればよい。
【００２０】
他の実施形態において、第一吸着部１５をカバー２０に装着し、第二吸着部品２１１を収容部１０に装着しても良い。
【００２１】
本実施形態において、突出部１２３の斜面１２４に開口１２６が設けられているため、連接部品３０を収容部１０から容易に取り外すことができる。電子装置が収容部１０内に収容されると、電子装置は開口１２６を塞ぎ、連接部品３０が振動などによって回転孔１２５から離脱することを防ぐ。他の実施形態において、開口１２６は省略できる。
【００２２】
他の実施形態において、連接部品３０を省略し、他の方法によってカバー２０を収容部１０に回転可能に装着しても良い。例えば、回転軸２７を省略し、カバー２０から連接部品３０のような構造を延出させる。又は、収容部１０に１つの切欠口１２１を設け、この切欠口１２１の対向する両内壁に回転孔１２５をそれぞれ設け、回転軸２７の両端を回転孔１２５にそれぞれ回転可能に挿入する。
【００２３】
第一段２１は収容部１０の外側に吸着され且つ収容部１０に沿って移動できるので、収容部１０及び電子装置を異なる角度に傾斜させることができる。
【００２４】
また、第二吸着部品２１１は磁性材料から製造されるので、第二吸着部品２１１の磁性を電子装置内のセンサに感知させることもできる。これによって、電子装置の動作状態を変更することが可能である。例えば、オン状態又は動作状態の電子装置内のセンサは磁性を感知すると、電子装置をオフ又は待機させることができる。
【符号の説明】
【００２５】
１０  収容部
１１  底板
１２  連接板
１１１  窪み部
１２１  切欠口
１２３  突出部
１２４  斜面
１２５  回転孔
１２６  開口
１３  側板
１５  第一吸着部
１７  固定片
２０  カバー
２１  第一段
２１１  第二吸着部品
２２１、２３１  剛性部品
２５  回転部
２７  回転軸
３０  連接部品
３１  メイン部
３３  第一回転側部
３３１  収容孔
３５  第二回転側部
３５１  ピン
【図１】
2014170542.tif 000003
【図２】
2014170542.tif 000004
【図３】
2014170542.tif 000005
【図４】
2014170542.tif 000006
【図５】
2014170542.tif 000007
【図６】
2014170542.tif 000008
【図７】
2014170542.tif 000009